(57)【要約】【課題】外部装置を用いて画像処理を行う場合でもできるだけユーザの待機時間を減らし、操作性を向上させることを目的とする。【解決手段】外部装置と通信可能な画像形成装置であって、画像形成装置において処理できない処理対象データを特定する特定手段と、特定手段により特定された処理対象データに対する印刷指示及びプレビュー表示指示の少なくとも１つを受け取る前に、処理対象データを外部装置に送信する送信手段と、外部装置で画像処理された後の処理対象データを受信する受信手段と、を有することによって課題を解決する。【選択図】図５
2015157473.tif 000002
【特許請求の範囲】
【請求項１】
外部装置と通信可能な画像形成装置であって、
前記画像形成装置において処理できない処理対象データを特定する特定手段と、
前記特定手段により特定された処理対象データに対する印刷指示及びプレビュー表示指示の少なくとも１つを受け取る前に、前記処理対象データを前記外部装置に送信する送信手段と、
前記外部装置で画像処理された後の処理対象データを受信する受信手段と、
を有する画像形成装置。
【請求項２】
前記受信手段により受信された画像処理後の処理対象データを印刷する印刷手段を更に有する請求項１に記載の画像形成装置。
【請求項３】
前記送信手段は、前記特定手段により特定された処理対象データに対するプレビュー指示を受け取る前に、前記処理対象データと、前記処理対象データに対する処理内容と、をセットで前記外部装置に送信する請求項１又は２に記載の画像形成装置。
【請求項４】
前記送信手段は、前記特定手段により特定された処理対象データに対する印刷指示を受け取る前に、前記処理対象データを前記外部装置に送信し、前記処理対象データを送信した後に前記処理対象データに対する処理内容を前記外部装置に送信する請求項１又は２に記載の画像形成装置。
【請求項５】
前記送信手段は、前記処理対象データの保存場所に応じて、前記処理対象データと、前記処理対象データに対する処理内容と、をセットで前記外部装置に送信する第１の送信を行うか、前記処理対象データを前記外部装置に送信し、前記処理対象データを送信した後に前記処理対象データに対する処理内容を前記外部装置に送信する第２の送信を行うかを判断する請求項１乃至４の何れか１項に記載の画像形成装置。
【請求項６】
前記送信手段は、前記処理対象データのフォーマットに応じて、前記処理対象データと、前記処理対象データに対する処理内容と、をセットで前記外部装置に送信する第１の送信を行うか、前記処理対象データを前記外部装置に送信し、前記処理対象データを送信した後に前記処理対象データに対する処理内容を前記外部装置に送信する第２の送信を行うかを判断する請求項１乃至４の何れか１項に記載の画像形成装置。
【請求項７】
外部装置と通信可能な画像形成装置が実行する情報処理方法であって、
前記画像形成装置において処理できない処理対象データを特定する特定ステップと、
前記特定ステップにより特定された処理対象データに対する印刷指示及びプレビュー表示指示の少なくとも１つを受け取る前に、前記処理対象データを前記外部装置に送信する送信ステップと、
前記外部装置で画像処理された後の処理対象データを受信する受信ステップと、
を含む情報処理方法。
【請求項８】
外部装置と通信可能なコンピュータに、
前記コンピュータにおいて処理できない処理対象データを特定する特定ステップと、
前記特定ステップにより特定された処理対象データに対する印刷指示及びプレビュー表示指示の少なくとも１つを受け取る前に、前記処理対象データを前記外部装置に送信する送信ステップと、
前記外部装置で画像処理された後の処理対象データを受信する受信ステップと、
を実行させるためのプログラム。
【請求項９】
前記受信ステップにより受信された画像処理後の処理対象データを印刷する印刷ステップを更に実行させる請求項８に記載のプログラム。
【請求項１０】
前記送信ステップでは、前記特定ステップにより特定された処理対象データに対するプレビュー指示を受け取る前に、前記処理対象データと、前記処理対象データに対する処理内容と、をセットで前記外部装置に送信する請求項８又は９に記載のプログラム。
【請求項１１】
前記送信ステップでは、前記特定ステップにより特定された処理対象データに対する印刷指示を受け取る前に、前記処理対象データを前記外部装置に送信し、前記処理対象データを送信した後に前記処理対象データに対する処理内容を前記外部装置に送信する請求項８又は９に記載のプログラム。
【請求項１２】
前記送信ステップでは、前記処理対象データの保存場所に応じて、前記処理対象データと、前記処理対象データに対する処理内容と、をセットで前記外部装置に送信する第１の送信を行うか、前記処理対象データを前記外部装置に送信し、前記処理対象データを送信した後に前記処理対象データに対する処理内容を前記外部装置に送信する第２の送信を行うかを判断する請求項８乃至１１の何れか１項に記載のプログラム。
【請求項１３】
前記送信ステップでは、前記処理対象データのフォーマットに応じて、前記処理対象データと、前記処理対象データに対する処理内容と、をセットで前記外部装置に送信する第１の送信を行うか、前記処理対象データを前記外部装置に送信し、前記処理対象データを送信した後に前記処理対象データに対する処理内容を前記外部装置に送信する第２の送信を行うかを判断する請求項８乃至１１の何れか１項に記載のプログラム。
【発明の詳細な説明】
【技術分野】
【０００１】
本発明は、画像形成装置、情報処理方法及びプログラムに関する。
【背景技術】
【０００２】
特許文献１の技術によれば、印刷対象ファイルの指定を受け印刷を行う画像形成装置が、印刷対象ファイルを画像処理サーバに送信する。そして画像処理サーバは、印刷対象ファイルを画像形成装置が解釈可能な印刷データに変換する。画像形成装置は、画像処理サーバが変換した印刷データを受け取り、印刷する。
【先行技術文献】
【特許文献】
【０００３】
【特許文献１】特開２０１１−１３１３８２号公報
【発明の概要】
【発明が解決しようとする課題】
【０００４】
特許文献１の技術では、印刷対象ファイルと処理内容とを外部の画像処理サーバに送信することによって画像形成装置が処理できる印刷データに変換している。したがって、画像形成装置と画像処理サーバとの間のデータ送受信により、従来の画像形成装置内部での画像処理に比べ、ジョブ出力までのＦＰＯＴ（Ｆｉｒｓｔ  Ｐｒｉｎｔ  Ｏｕｔｐｕｔ  Ｔｉｍｅ）等が遅くなるという課題が存在した。
本発明は、外部装置を用いて画像処理を行う場合でもできるだけユーザの待機時間を減らし、操作性を向上させることを目的とする。
【課題を解決するための手段】
【０００５】
そこで、本発明の画像形成装置は、外部装置と通信可能な画像形成装置であって、前記画像形成装置において処理できない処理対象データを特定する特定手段と、前記特定手段により特定された処理対象データに対する印刷指示及びプレビュー表示指示の少なくとも１つを受け取る前に、前記処理対象データを前記外部装置に送信する送信手段と、前記外部装置で画像処理された後の処理対象データを受信する受信手段と、を有する。
【発明の効果】
【０００６】
本発明によれば、外部装置を用いて画像処理を行う場合でもできるだけユーザの待機時間を減らし、操作性を向上させることができる。
【図面の簡単な説明】
【０００７】
【図１】画像形成システムのシステム構成の一例を示す図である。
【図２】画像処理サーバのハードウェア構成の一例を示す図である。
【図３】画像形成装置のハードウェア構成の一例を示す図である。
【図４】画像形成装置の操作部の一例を示した図である。
【図５】保存ファイルを利用したジョブの実行に係る情報処理の一例を示すフローチャートである。
【図６】ファイルストレージ選択画面の一例を示した図である。
【図７】処理対象ファイルリストの表示画面の一例を示した図である。
【図８】画像処理サーバ利用頻度テーブルの一例を示した図である。
【図９】プレビュー画像表示画面の一例を示す図である。
【図１０】印刷設定画面の一例を示す図である。
【図１１】画像処理サーバに対して処理対象ファイル及び変換データを同時に送信する場合の画像処理シーケンスの一例を示す図である。
【図１２】処理対象ファイルを先行送信して、後追いで変換指示データを送信する場合の画像処理シーケンスの一例を示す図である。
【図１３】先行処理の一例を示したフローチャートである。
【図１４】先行処理有無の判断を行う処理の一例を示すフローチャートである。
【図１５】レイアウト指定のポップアップ画面の一例を示した図である。
【図１６】画像形成装置がバックグラウンドで画像処理を開始する際の情報処理の一例を示すフローチャートである。
【発明を実施するための形態】
【０００８】
以下、本発明の実施形態について図面に基づいて説明する。
【０００９】
＜実施形態１＞
図１は、画像形成システムのシステム構成の一例を示す図である。
画像形成システムは、画像形成装置１０１、１０２をはじめとする複数の画像形成装置と、情報処理端末１０３、１０４に加えて画像処理サーバ１０５と、から構成され、各々ネットワークを介して通信可能に接続されている。以下、画像形成装置に関する説明は、代表して画像形成装置１０１について行う。なお、ここでいうネットワークはＬＡＮ（Ｌｏｃａｌ  Ａｒｅａ  Ｎｅｔｗｏｒｋ）、Ｉｎｔｅｒｎｅｔ等、画像形成システム内の装置が相互に通信できる方式であれば種類は問わない。
画像形成装置１０１は、情報処理端末からの画像データの印刷依頼を受信して画像を印刷したり、画像形成装置１０１に具備されているスキャナを用いて画像を読み取ったり、読み取った画像を印刷することができる。加えて、画像形成装置１０１は、情報処理端末内のＳＭＢ（Ｓｅｒｖｅｒ  Ｍｅｓｓａｇｅ  Ｂｌｏｃｋ）共有フォルダや画像形成装置１０１に接続されたＵＳＢメモリの内容をユーザに提示し、この中からユーザが選択したファイルを印刷することもできる。また、画像形成装置１０１は、自身で行うことのできない画像処理については画像処理サーバ１０５に依頼し、画像処理サーバ１０５に画像処理を行わせることもできる。
画像処理サーバ１０５は、処理対象ファイル（処理対象データともいう）や変換指示データを画像形成装置から受信し、処理対象データに対して指示された処理を行った上で、出力データを依頼元の画像形成装置に返信する。前記出力データは、画像処理後の画像データの一例である。また、画像処理サーバ１０５は、外部装置の一例である。
【００１０】
図２は、画像処理サーバ１０５のハードウェア構成の一例を示す図である。
画像処理サーバ１０５は、ＣＰＵ２１１、ＲＡＭ２１２、ＨＤＤ２１３、ネットワークＩ／Ｆ２１４から構成される。ＣＰＵ２１１は、装置全体の制御を司り、ＲＡＭ２１２、ＨＤＤ２１３及びネットワークＩ／Ｆ２１４とのデータの授受を制御する。また、ＣＰＵ２１１は、ＨＤＤ２１３から読み出した制御プログラム（命令）をＲＡＭ２１２に展開し、ＲＡＭ２１２に記憶されている命令を実行する。
ＨＤＤ２１３には、ＣＰＵ２１１で実行可能な、画像処理を実現するための制御プログラム（命令）が格納されている。ここでの画像処理とはプレビューファイル生成や印刷ファイル生成等が一例としてあげられる。その他にも、ＨＤＤ２１３には、画像処理サーバが処理可能なファイル形式に関する情報や、処理内容指示データや処理対象データ等、画像形成装置から受信したデータを適宜保存することが可能である。
ＲＡＭ２１２は、ＨＤＤ２１３に記憶された命令を展開してＣＰＵ２１１から読み出し可能とし、命令の実行に必要な各種のデータを記憶しておくことが可能である。
ネットワークＩ／Ｆ２１４は、画像形成システム内の装置とネットワーク通信を行うためのＩ／Ｆであり、データ受信を行ったことをＣＰＵ２１１に伝達したり、ＲＡＭ２１２上のデータをネットワークに送信したりする。
ＣＰＵ２１１が、ＨＤＤ２１３等に記憶されている制御プログラム（命令）に基づき処理を実行することによって、画像処理サーバ１０５の機能が実現される。
【００１１】
図３は、画像形成装置１０１のハードウェア構成の一例を示す図である。
画像形成装置１０１は、コントローラ３１０、プリンタ３０１、スキャナ３０２、操作部３０３から構成される。コントローラ３１０は、ＣＰＵ３１１、ＲＡＭ３１２、ＨＤＤ３１３、ネットワークＩ／Ｆ３１４、プリンタＩ／Ｆ３１５、スキャナＩ／Ｆ３１６、操作部Ｉ／Ｆ３１７、拡張Ｉ／Ｆ３１８から構成される。ＣＰＵ３１１は、ＲＡＭ３１２、ＨＤＤ３１３、ネットワークＩ／Ｆ３１４、プリンタＩ／Ｆ３１５、スキャナＩ／Ｆ３１６、操作部Ｉ／Ｆ３１７とデータを授受することができる。また、ＣＰＵ３１１は、ＨＤＤ３１３から読み出した命令をＲＡＭ３１２に展開し、ＲＡＭ３１２に記憶されている命令を実行する。
ＨＤＤ３１３には、ＣＰＵ３１１で実行可能な命令や、装置で使用する設定値、ユーザから依頼された処理に関するデータ等を記憶しておくことができる。
ＲＡＭ３１２は、ＨＤＤ３１３に記憶された命令を展開してＣＰＵ３１１から読み出し可能とし、命令の実行に必要な各種のデータを記憶しておくことができる。
【００１２】
ネットワークＩ／Ｆ３１４は、画像形成システム内の装置とネットワーク通信を行うためのＩ／Ｆであり、データ受信を行ったことをＣＰＵ３１１に伝達したり、ＲＡＭ３１２上のデータをネットワークに送信したりする。
プリンタＩ／Ｆ３１５は、ＣＰＵ３１１から送信された画像データをプリンタ３０１に送信したり、プリンタ３０１から受信したプリンタの状態をＣＰＵ３１１に伝達したりするＩ／Ｆである。
スキャナＩ／Ｆ３１６は、ＣＰＵ３１１から送信された画像読み取り指示をスキャナ３０２に送信し、スキャナ３０２から受信した画像データをＣＰＵ３１１に伝達したり、スキャナ３０２から受信した状態をＣＰＵ３１１に伝達したりするＩ／Ｆである。
操作部Ｉ／Ｆ３１７は、操作部３０３から入力されたユーザからの指示をＣＰＵ３１１に伝達したり、ユーザが操作するための画面情報を操作部３０３に伝達したりする。
プリンタ３０１は、プリンタＩ／Ｆから受信した画像データを用紙に印刷したり、プリンタの状態をプリンタＩ／Ｆに伝達したりする。
【００１３】
スキャナ３０２は、スキャナＩ／Ｆ３１６から受信した画像読み取り指示に従って、スキャナに置かれた用紙を読み取りデジタルデータ化してスキャナＩ／Ｆ３１６に伝達したり、スキャナの状態をスキャナＩ／Ｆ３１６に伝達したりする。
操作部３０３は、画像形成装置１０１をユーザから操作することが可能にする。例えば、操作部３０３は、タッチパネルを有する液晶画面を具備し、ユーザに操作画面を提供すると共に、ユーザからの操作を受け付ける。
拡張Ｉ／Ｆ３１８は、画像形成装置１０１に外部機器を接続することを可能とするＩ／Ｆである。例えば、拡張Ｉ／Ｆ３１８は、ＵＳＢ（Ｕｎｉｖｅｒｓａｌ  Ｓｅｒｉａｌ  Ｂｕｓ）形式のＩ／Ｆを具備し、例えばＵＳＢメモリ等の外部記憶装置を接続してデータの読み取り・書き込みを行うことができる。
ＣＰＵ３１１が、ＨＤＤ３１３等に記憶されている制御プログラム（命令）に基づき処理を実行することによって、画像形成装置１０１の機能及び後述する画像形成装置１０１に係るフローチャートの処理が実現される。
【００１４】
図４は、画像形成装置１０１の操作部３０３の一例を示した図である。
操作部３０３は、タッチパネル画面４０１、設定キー４０２、キャンセルキー４０４、開始キー４０３で構成されている。ユーザはタッチパネル画面４０１及び設定キー４０２を用いて、各ジョブの設定を行い、開始キー４０３の押下によりジョブの開始を指示する。なお、ユーザは、キャンセルキー４０４を押下することで、一度開始したジョブの実行の中止を指示することができる。
続いて、画像形成装置１０１内又は外部に保存している処理対象ファイルを用いて印刷を行う場合の情報処理について説明する。前記処理対象ファイルとは、ビットマップ形式で保存されているビットマップデータや、ｏｏｘｍｌ、ｅＰｕｂといった汎用フォーマットとして保存されている汎用フォーマットデータ、ＰＤＬ形式で保存されている印刷データ等を表す。また、これらのファイルは印刷、プレビューといった処理の対象となるファイルである。
【００１５】
図５は、保存ファイルを利用したジョブの実行に係る情報処理の一例を示すフローチャートである。図４で示した操作部３０３と図５のフローチャートとを用いて通常の外部サーバを利用したジョブ実行の流れを説明する。
ＣＰＵ３１１は、ユーザからのタッチパネル画面４０１を用いた保存ファイルの利用の選択を検知すると、ファイルストレージ選択画面６０１を表示し、ユーザからのストレージの選択を受け付ける（Ｓ５０１）。
図６は、ファイルストレージ選択画面６０１の一例を示した図である。ファイルストレージ選択画面６０１には、ボックスボタン６０２、ネットワークボタン６０３、アドバンスドボックスボタン６０４、メモリーメディアボタン６０５が含まれる。ボックスボタン６０２は、画像形成装置１０１のＨＤＤ３１３のビットマップ形式で保存されたビットマップデータの利用を示すボタンである。ネットワークボタン６０３は、情報処理端末１０３内等の既定のＳＭＢ共有フォルダの利用を示すボタンである。アドバンスドボックスボタン６０４は、ＨＤＤ３１３の汎用フォーマットデータの利用を示すボタンである。メモリーメディアボタン６０５は、画像形成装置１０１に接続されたＵＳＢメモリ内に格納されたデータの利用を示すボタンである。なお、ファイルストレージはこれらに限らず画像形成装置１０１からアクセス可能な場所であればどこでもよい。
【００１６】
ＣＰＵ３１１は、ユーザからのファイルストレージ選択を検知すると（Ｓ５０１）、選択されたファイルストレージに保持されている処理対象ファイルのリストの表示及び画像処理ボタンの表示を行う（Ｓ５０２）。
図７は、処理対象ファイルリストの表示画面７０１の一例を示した図である。この画面例では各処理対象ファイル７０２においてファイル名、更新日時、サイズが表示され、ユーザからの選択を受け付ける。
ＣＰＵ３１１は、図７の画面を表示した段階で先行処理を行うか否かの判断を行う（Ｓ５０３）。ここでの先行処理判断及び先行処理内容については後述する図１３を用いて説明する。ここで、先行処理を行うと判断した場合、ＣＰＵ３１１は、この段階でユーザがファイルリスト上のどのファイルに対して処理を行うのか判断できない。したがって、ある条件を持って画像処理サーバ１０５で先行処理するファイルを決定する必要がある。
ここで、前記先行処理対象のファイルを決定する条件を記載する。
【００１７】
第一の条件は、更新日時から判断する方法である。ユーザがＰＣ等ファイルに対してアクセス可能な端末からアクセスし編集後に保存すると、その保存された更新日時がそのファイルに対して付与される。ＣＰＵ３１１は、前記ファイルに対して付与された更新日時を処理対象ファイルリストの表示画面７０１の更新日時７０８に表示する。ＣＰＵ３１１は、対象ストレージのファイルの中から更新日時が現在の日時に近いファイルを取得し、前記先行処理対象のファイルとする。第一の条件で先行処理対象のファイルを選択することの利点としては、ファイルを編集してから印刷するユースケースに対して対応できるところが挙げられる。ユーザの多くは、ファイルに何かしらの編集作業を行ってから、印刷物として提出又は保存し管理するといったワークフローを行っている。したがって本条件を用いることによって、更新日時が現在の日時に近いファイルを優先的に先行処理することが可能となるため、前記ユーザに対してより早く出力物を提供することが可能となる。
【００１８】
第二の条件は、サーバの利用日時から判断する方法である。
図８は画像処理サーバ利用頻度テーブルの一例を表した図である。図８を用いてサーバの利用日時から先行処理対象のファイルを決定する方法を説明する。まずＣＰＵ３１１は、画像処理サーバ１０５を用いた印刷又はプレビューの実行後に、ＨＤＤ３１３の画像処理サーバ利用頻度テーブル１６０１を更新する。より具体的には、ＣＰＵ３１１は、処理を行ったファイルのファイル名１６０２に対し、前記ファイルに対してサーバを利用した日時であるサーバ利用日時１６０３を入力後、サーバ利用回数１６０４を更新する。続いて、ＣＰＵ３１１は、ファイルストレージ選択画面６０１よりファイルストレージの選択を検知後、画像処理サーバ利用頻度テーブル１６０１のサーバ利用日時１６０３が現在の日時に近いファイルを前記先行処理対象のファイルとする。第二の条件で先行処理対象のファイルを選択することの利点としては、プレビューを実行した後に印刷するような同ファイルに対して複数の処理をサーバで行う場合において、優先的に先行処理を行うことが可能となる。したがって、前記処理を行うユーザに対してより早く出力物を提供することが可能となる。
【００１９】
第三の条件は画像処理サーバの利用回数から判断する方法である。図８に示した画像処理サーバ利用頻度テーブル１６０１を用いて、第三の条件を説明する。図８の説明で示した通り、サーバ利用回数１６０４には対象のファイルに対して画像処理サーバ１０５を用いてどれだけの処理を行ったかの利用回数が入力されている。ＣＰＵ３１１はサーバ利用回数１６０４の回数が多いものを優先的に先行処理対象のファイルに決定する。第三の条件で先行処理対象のファイルを選択することの利点としては、定期的に印刷する必要があるファイル等に対してより早く出力物を提供することが可能になることが挙げられる。
なお、第一、第二、第三の条件で先行処理を行うファイル数については、予めＨＤＤ３１３に設定された送信ファイル数をＣＰＵ３１１が取得することで決定する。またＨＤＤ３１３に送信ファイル数は予め決められた値であっても、システム管理者等が設定できるような構成であってもよい。
【００２０】
第四の条件は階層ごとに判断する方法である。処理対象ファイルリストの表示画面７０１ではツリー構造となっているためフォルダ７０３が存在してもよい。フォルダ７０３に対してユーザからの押下を検知すると、ＣＰＵ３１１は、そのフォルダの内容を表示するよう制御する。フォルダ以下の画面構成は処理対象ファイルリストの表示画面７０１と同様である。またスクロールボタン７０９を押下することによって、現在処理対象ファイルリストの表示画面７０１に表示しきれていないファイルをスクロールして表示させることが出来る。このときに、ＣＰＵ３１１は、現在処理対象ファイルリストの表示画面７０１に表示されているファイルを先行処理対象のファイルにする。第四の条件の利点としては、ユーザが処理を行おうとしているファイルのフォルダを限定的に先行処理することで、サーバのリソースを効率的に利用しつつ、ユーザにより早く出力物を提供することが可能になることが挙げられる。第四の条件としては、他にも先行処理を行う階層を設定できたり、処理対象ファイルリストの表示画面７０１に表示されたファイルのみを先行して送信し、スクロールボタン７０９の押下によって新たに表示されたファイルを随時送信したりする等であってもよい。また先行送信するファイル決定については、前記第一、第二、第三、第四の条件以外でもよい。なお、このタイミングを第一の先行処理タイミングとする。
【００２１】
続いてＣＰＵ３１１は、ユーザからの処理対象ファイルの選択を検知する。ＣＰＵ３１１は、選択された順序を記録し、選択順に選択番号７０４を割り当てる。ＣＰＵ３１１は、選択番号７０４を用いて番号順にジョブを実行する。なお、ＣＰＵ３１１は、ファイルが選択された状態、つまり選択番号７０４に番号が入力された状態においても選択されたファイルに対して先行処理を行うか否かの判断を行う（Ｓ５０３）。ここでの先行処理判断及び先行処理内容については後述する図１３を用いて説明する。また、この状態では、ユーザは選択したファイルに対して画像処理を行う意思があると判断できるため、第一の先行処理タイミングと比較すると、より利用される可能性が高い。このタイミングを第二の先行処理タイミングとする。
なお、この状態においても、ＣＰＵ３１１は、先行処理を行うか否かを判断する。この画面にてトップへボタン７０５の押下を検知すると、ＣＰＵ３１１は、トップ画面を表示するよう制御する。
【００２２】
ＣＰＵ３１１は、処理対象ファイルが選択された状態でプレビューボタン７０６の押下を検知すると（Ｓ５０４において「プレビュー」）、画像形成装置１０１のＨＤＤ３１３に処理対象ファイルのプレビュー画像が存在するか否かを調べる（Ｓ５０５）。なお、プレビューボタン７０６が押下された場合、ＣＰＵ３１１は、プレビュー表示指示を受け付けたと判定する。プレビュー画像が存在する場合（Ｓ５０５において「ＹＥＳ」）、ＣＰＵ３１１は、前記プレビュー画像を用いてプレビュー画面を表示するよう制御する（Ｓ５０９）。一方で、処理対象ファイルのプレビュー画像が存在しない場合（Ｓ５０５において「ＮＯ」）、ＣＰＵ３１１は、画像形成装置１０１でプレビュー画像の生成が可能か否かを判断する（Ｓ５０６）。例えば、ＣＰＵ３１１は、ファイルの種類等に基づいて、プレビュー画像の生成が可能か否かを判断する。
画像形成装置１０１でプレビュー画像の生成が可能な場合（Ｓ５０６において「ＹＥＳ」）、ＣＰＵ３１１は、画像形成装置１０１にて処理対象ファイルに対してプレビュー画像を生成するための画像処理を行うよう制御し（Ｓ５０７）する。そして、ＣＰＵ３１１は、Ｓ５０７にて生成されたプレビュー画像をタッチパネル画面４０１に表示する（Ｓ５０９）。一方、画像形成装置１０１でプレビュー画像の生成ができない場合（Ｓ５０６において「ＮＯ」）、ＣＰＵ３１１は、Ｓ５０８に進む。Ｓ５０８において、ＣＰＵ３１１は、画像処理サーバ１０５にプレビュー画像の生成を依頼し、変換後の画像を受信する。そして、ＣＰＵ３１１は、前記画像をタッチパネル画面４０１に表示するよう制御する（Ｓ５０９）。画像処理サーバ１０５への画像生成依頼の処理方法については後述する図１３を用いて説明する。
【００２３】
図９は、プレビュー画像表示画面８０１の一例を示す図である。プレビュー画像表示画面８０１は、選択された処理対象ファイルのプレビュー画像８０２、戻るボタン８０３、印刷ボタン８０４で構成されている。ＣＰＵ３１１は、戻るボタン８０３の押下を検知すると（Ｓ５１０において「戻る」）、処理対象ファイルリストを表示画面７０１に表示する（Ｓ５０２）。一方、ＣＰＵ３１１は、表示画面７０１で、印刷ボタン７０７の押下を検知するか（Ｓ５０４において「印刷」）、プレビュー画像表示画面８０１で、印刷ボタン８０４の押下を検知すると（Ｓ５１０において「印刷」）、Ｓ５１１に進む。Ｓ５１１において、ＣＰＵ３１１は、印刷設定画面９０１を表示するよう制御する。
ＣＰＵ３１１は、この状態においても選択された先行処理を行うか否かの判断を行う（Ｓ５１２）。ここでの先行処理判断及び先行処理内容については後述する。また、このタイミングにおいてユーザは処理対象のファイルに対して印刷設定を行う意思を示しているため、第一、第二の先行処理タイミングより利用される可能性が高い。なお、このタイミングを第三の先行処理タイミングとする。
【００２４】
図１０は、印刷設定画面９０１の一例を示す図である。印刷設定画面９０１は印刷の各種設定項目９０２、戻るボタン９０３、プリント開始ボタン９０４で構成されている。ＣＰＵ３１１は、ユーザからの印刷設定を設定項目９０２の押下で検知すると、選択された設定項目に適した設定を行う。ここでの設定項目とは、片面印刷／両面印刷の設定、４ｉｎ１等集約印刷の設定、製本印刷の設定等、印刷に関する様々な設定の項目である。
続いて、ＣＰＵ３１１は、戻るボタン９０３の押下を検知すると（Ｓ５１３において戻る）、表示画面７０１を表示する。
一方で、ＣＰＵ３１１は、プリント開始ボタン９０４又は開始キー４０３の押下を検知すると（Ｓ５１３において「印刷開始」）、処理対象ファイルが画像処理サーバ１０５に存在するか否かを判断する（Ｓ５１４）。例えば、ＣＰＵ３１１は、画像処理サーバ１０５に送信したファイルの情報をＲＡＭ３１２又はＨＤＤ３１３に保持しておき、前記情報に基づき、処理対象ファイルが画像処理サーバ１０５に存在するか否かを判断する。
処理対象ファイルが画像処理サーバ１０５に存在する場合（Ｓ５１４において「ＹＥＳ」）、ＣＰＵ３１１は、印刷設定を画像処理サーバ１０５に送信する（Ｓ５１５）。ＣＰＵ３１１は、処理後の印刷データを画像処理サーバ１０５から受信すると、前記印刷データを用いて印刷を実行する（Ｓ５１９）。
【００２５】
一方、処理対象ファイルが画像処理サーバ１０５に存在しない場合（Ｓ５１４において「ＮＯ」）、ＣＰＵ３１１は、画像形成装置１０１での印刷データの生成が可能か否かを判断する（Ｓ５１６）。例えば、ＣＰＵ３１１は、ファイルの種類等に基づいて、印刷データの生成が可能か否かを判断する。可能と判断した場合（Ｓ５１６において「ＹＥＳ」）、ＣＰＵ３１１は、画像形成装置１０１で印刷データの生成を行い（Ｓ５１７）、印刷を実行する（Ｓ５１９）。一方、画像形成装置１０１で印刷データの生成ができないと判断した場合（Ｓ５１６において「ＮＯ」）、ＣＰＵ３１１は、画像処理サーバ１０５に画像処理を依頼する（Ｓ５１８）。そして、ＣＰＵ３１１は、画像処理サーバ１０５から受信した印刷データを用いて印刷を実行する（Ｓ５１９）。画像処理サーバ１０５への画像生成依頼の処理方法については後述する。
【００２６】
続いて、画像処理サーバ１０５を用いた画像処理シーケンスについて説明する。
図１１は、画像処理サーバ１０５に対して処理対象ファイル及び変換データを同時に送信する場合の画像処理シーケンスの一例を示す図である。
まず、画像形成装置１０１は、処理対象ファイル及び変換指示データを送信する（Ｓ１００１）。
画像処理サーバ１０５は、前記処理対象ファイル及び変換指示データを受信すると、変換指示データを解釈し、画像処理を行う（Ｓ１００２）。
画像処理サーバ１０５は、画像形成装置１０１に対して処理後データを送信する（Ｓ１００３）。
画像形成装置１０１は、受信した処理後データを用いてその後の処理を行う。
【００２７】
図１２は、処理対象ファイルを先行送信して、後追いで変換指示データを送信する場合の画像処理シーケンスの一例を示す図である。
まず画像形成装置１０１は、処理対象のファイルを送信する（Ｓ１１０１）。
画像処理サーバ１０５は、受信した処理対象ファイルをキャッシュする（Ｓ１１０２）。
画像形成装置１０１は、ユーザからの画像処理設定を検知後（Ｓ１１０３）、画像処理サーバ１０５に対し前記画像処理設定に応じた変換指示データを送信する（Ｓ１１０４）。
画像処理サーバ１０５は、変換指示データを解釈し、事前にキャッシュしていた処理対象ファイルに対し画像処理を行う（Ｓ１１０５）。
そして、画像処理サーバ１０５は、処理後データを画像形成装置１０１に送信する（Ｓ１１０６）。
画像形成装置１０１は、受信した処理後データを用いてその後の処理を行う。
【００２８】
続いて先行処理を行う際の、処理フローについて説明する。
なお、本実施形態では、処理後のファイルフォーマットに応じて初回先行送信するデータを決定する例を示す。
図１３は、先行処理の一例を示したフローチャートである。
まず、プレビュー用データを先行生成する場合について図１３を用いて説明する。ＣＰＵ３１１は、図５で示したタイミングにおいて、先行処理を行うか否かの判断を行う（Ｓ１２１０）。
図１４は、先行処理有無の判断（Ｓ１２１０）を行う処理の一例を示すフローチャートである。
まず、ＣＰＵ３１１は、処理対象のファイルを画像形成装置１０１内で処理できるか否かを判断する（Ｓ１５０６）。例えば、ＣＰＵ３１１は、ファイルの種類（ファイルの拡張子等）に基づいて、処理対象のファイルを画像形成装置１０１内で処理できるか否かを判断する。処理できると判断した場合（Ｓ１５０６において「ＹＥＳ」）、ＣＰＵ３１１は、Ｓ１５０５に進み、先行処理を行わない（Ｓ１２１１）。一方、処理できないと判断した場合（Ｓ１５０６において「ＮＯ」）、ＣＰＵ３１１は、ＨＤＤ３１３で管理している先行処理モードフラグをチェックする（Ｓ１５０１）。このフラグはＣＰＵ３１１が操作部３０３を介したユーザ又は管理者の設定操作に応じてＨＤＤ３１３に設定することができる。
【００２９】
ここで先行処理モードフラグがＯＦＦの場合は（Ｓ１５０２において「ＮＯ」）、ＣＰＵ３１１は、先行処理を行わないと判断し（Ｓ１５０５）、先行処理を行わない（Ｓ１２１１）。一方で、先行処理モードフラグがＯＮの場合（Ｓ１５０２において「ＹＥＳ」）、ＣＰＵ３１１は、続いてネットワークの帯域をチェックする（Ｓ１５０３）。
そして、ＣＰＵ３１１は、チェックの結果に基づき、先行処理が可能かどうかを判断する（Ｓ１５０４）。先行処理が可能ではない場合（つまり、通信速度が所定の値よりも速い場合、Ｓ１５０４において「ＮＯ」）、ＣＰＵ３１１は、先行処理を行わないと判断し（Ｓ１５０５）、先行処理を行わない（Ｓ１２１１）。一方、先行処理ことができると判断すると（つまり、通信速度が所定の値よりも遅い場合、Ｓ１５０４において「ＹＥＳ」）、ＣＰＵ３１１は、図１３において、Ｓ１２０１以降の処理を実行する。
【００３０】
図１３の説明に戻る。
先行処理を行うか否かの判断（Ｓ１２１０）において、行うと判断した場合、ＣＰＵ３１１は、先行送信するデータを判断する（Ｓ１２０１）。より具体的には、図１３の処理がＳ５０３の先行処理として実行される場合（つまり、印刷設定画面が表示されていない段階でＳ１２０１が実行される場合）、ＣＰＵ３１１は、プレビュー用データを生成するための先行処理と判定する。ここでプレビュー用データは解像度６００ｄｐｉのｊｐｅｇファイルであると予め設定されているとする。そのため、ＣＰＵ３１１は、この段階で、画像処理サーバ１０５に対する変換指示データを作成することができる。したがって、ＣＰＵ３１１は、処理後フォーマットがｊｐｅｇ、解像度が６００ｄｐｉと記述された変換指示データを生成する。
Ｓ１２０２において、ＣＰＵ３１１は、プレビューのために生成された変換指示データと処理対象ファイルをセットで画像処理サーバ１０５に送信する。
続いて、ＣＰＵ３１１は、画像処理サーバ１０５より処理後のプレビュー用画像を受信すると、ＨＤＤ３１３にキャッシュする（Ｓ１２０３）。
【００３１】
一方、図１３の処理がＳ５１２の先行処理として実行される場合（つまり、印刷設定画面が表示された段階でＳ１２０１が実行される場合）、ＣＰＵ３１１は、印刷データを生成するための先行処理と判定する。ここで、印刷データの生成には、レイアウト設定、印字設定等、ユーザからの設定が必要なため、印刷設定後でないと変換指示データを送ることはできない。したがって、ＣＰＵ３１１は、処理対象ファイルのみであると判断し（Ｓ１２０１において「処理対象ファイル」）、Ｓ１２０４に進む。
Ｓ１２０４において、ＣＰＵ３１１は、画像処理サーバ１０５に対して処理対象のファイルを先行送信する。画像処理サーバ１０５は処理対象のファイルを受信するとＨＤＤ２１３にキャッシュする。
続いて、ＣＰＵ３１１は、プレビューボタン７０６及びプリント開始ボタン９０４及び開始キー４０３の少なくとも１つが押下されたことを検知すると（Ｓ１２０５）、サーバに送信すべき変換指示データが存在するか判定する（Ｓ１２０６）。より具体的には、プリント開始ボタン９０４又は開始キー４０３が押下された場合、ＣＰＵ３１１は、印刷処理を実行すると判定する。そして、このＳ１２０６の段階では、印刷設定情報を画像処理サーバ１０５には送信していないため、ＣＰＵ３１１は、サーバに送るべき変換指示データ（つまり、印刷設定情報）が存在すると判定する。そして、ＣＰＵ３１１は、印刷設定画面９０１にて設定された印刷設定情報が記述された変換指示データをサーバに送信する（Ｓ１２０８）。ＣＰＵ３１１は、画像処理サーバ１０５から処理後の印刷データを受信すると、その処理後の印刷データを用いて印刷を実行し（Ｓ１２０９）、画像処理を完了する。
【００３２】
一方、Ｓ１２０４を経てプレビューボタン７０６が押下された場合、プレビュー用の変換指示データは送信されていないため、ＣＰＵ３１１はＳ１２０６においてＹｅｓと判定する。そして、ＣＰＵ３１１は、処理後フォーマットがｊｐｅｇ、解像度が６００ｄｐｉと記述された変換指示データを送信し（Ｓ１２０８）、サーバから処理後のプレビュー用画像を受信して表示する（Ｓ１２０９）。
また、Ｓ１２０２−Ｓ１２０３を経てプレビューボタン７０６が押下された場合、プレビュー用の変換指示データは既に送信済みであるため、ＣＰＵ３１１はＳ１２０６においてＮｏと判定する。そして、ＣＰＵ３１１は、ＨＤＤ３１３にキャッシュされたプレビュー画像を表示する（Ｓ１２０７）。
なお、ここで示したフローチャートにおける、画像処理サーバ１０５との処理のやり取りは図１１と図１２とで示した画像処理シーケンスである。
【００３３】
実施形態１では、ユーザからプレビュー指示又は印刷指示を受け付ける前に送信可能なデータが画像処理サーバに送信されるため、効率的に先行処理を行うことができる。
【００３４】
＜実施形態２＞
実施形態１では先行処理のタイミングによってシーケンスを動的に切り替える例を示した。しかしながら、例えば、レイアウトの指定がないとプレビューデータを生成できないような処理対象ファイルに対しては、先行処理のタイミングだけを判断して処理を切り替えることはできない。したがって本実施形態では入力フォーマットを判断して処理を切り替える例を示す。
先行処理対象のファイルとしてｏｏｘｍｌファイルが選択されたとする。ｏｏｘｍｌファイルについてはユーザによるレイアウトの指定なしでプレビュー画像生成を行うことができる。そのため、Ｓ１２０１において、ＣＰＵ３１１は、処理対象ファイル及び変換指示データを送信すると判断する。以降の処理は、実施形態１と同様に行い、プレビュー表示を完了する。なお、画像処理サーバ１０５との処理のやり取りは図１１で示した画像処理シーケンスである。
【００３５】
一方、先行処理対象のファイルとしてｅＰｕｂファイルが選択されたとする。ｅＰＵＢとは電子書籍の規格であり、文字の大きさを指定すると自動で適切なレイアウト表示を行うリフロー機能を有している。このようなフォーマットについては、ユーザからのレイアウトの指定なしでは画像処理サーバ１０５は処理を開始することができない。したがって、Ｓ１２０１において、ＣＰＵ３１１は、処理対象ファイルのみを送信すると判断し、Ｓ１２０４に進む。
ＣＰＵ３１１は、実施形態１で示した何れかのタイミングにて先行送信を行う。しかしながらレイアウトの指定が必要な入力ファイルを送信する場合、Ｓ１２０１において、ＣＰＵ３１１は、初回先行送信するデータは処理対象ファイルのみであると判断し、Ｓ１２０４に進む。そして、Ｓ１２０４において、ＣＰＵ３１１は、処理対象ファイルのみを送信する。
【００３６】
続いてＣＰＵ３１１が、ユーザからのプレビュー表示要求を検知すると（Ｓ１２０５）、レイアウト指定が必要なため、ＣＰＵ３１１は、図１５のレイアウト指定のポップアップ画面１３０１を表示する。ここでＣＰＵ３１１は、戻るボタン１３０２の押下を検知すると、処理対象ファイルリストの表示を行う（Ｓ５０２）。一方、ＣＰＵ３１１は、レイアウトの指定ボタン１３０３の押下を検知すると、押下されたボタンに対応する内容（例えば、フォントサイズ）を変換指示データのレイアウト設定項目に書き込む。そして、ＣＰＵ３１１は、前記変換指示データのみを後追いで画像処理サーバ１０５に送信する（Ｓ１２０８）。続いて、ＣＰＵ３１１は、画像処理サーバ１０５から処理後データを受信し、受信した処理後データのプレビューを実行するよう制御する（Ｓ１２０９）。なお、画像処理サーバ１０５との処理のやり取りは図１２で示した画像処理シーケンスである。なお、本願ではレイアウト指定の一例としてフォントサイズを記載したが、例えば行間サイズ等でもよい。
【００３７】
実施形態２では、入力フォーマットに応じて初回先行送信するデータを決定する例を示した。このように入力フォーマットに応じて先行処理のシーケンスを切り替えることで、変換処理指示データが必要な処理か否かを処理対象ファイル選択時に判断することができる。したがって、より効率的に先行処理を行うことができる。
【００３８】
＜実施形態３＞
本実施形態３では、処理対象ファイルの保存場所に応じて処理のシーケンスを切り替える例を説明する。本実施形態では、ＣＰＵ３１１が、画像形成装置１０１が管理するデータ管理領域のファイルで、ユーザからファイルストレージの選択を受け付ける前に、画像形成装置１０１が処理できないファイルに対してバックグラウンドで先行送信する例を説明する。
【００３９】
図１６は、画像形成装置１０１がバックグラウンドで画像処理を開始する際の情報処理の一例を示すフローチャートである。
ＣＰＵ３１１は、ファイル管理領域を監視しており、ファイルの追加を検知する（Ｓ１４０１）。すると、ＣＰＵ３１１は、追加されたファイルが画像形成装置１０１内で処理可能なフォーマットか否かを判断する（Ｓ１４０２）。例えば、ＣＰＵ３１１は、ファイルの種類等に基づいて、画像形成装置１０１内で処理可能なフォーマットか否かを判断する。前記ファイルが画像形成装置１０１内で処理可能なフォーマットの場合（Ｓ１４０２において「ＹＥＳ」）、先行処理を行わず、図１６に示す処理を終了する。
一方、前記ファイルが画像形成装置１０１内で処理可能ではないフォーマットの場合（Ｓ１４０２において「ＮＯ」）、ＣＰＵ３１１は、前記ファイルの保存場所を確認する（Ｓ１４０３）。前記ファイルがネットワーク上の領域に追加された場合（Ｓ１４０３において「ネットワーク上」）、ＣＰＵ３１１は、バックグラウンドでの先行処理は行わず、図１６に示す処理を終了する。セキュリティ上、自動でネットワーク上のファイルを利用するのは好ましくないためである。
【００４０】
一方、画像形成装置１０１内に追加された場合（Ｓ１４０３において「デバイス内」）、ＣＰＵ３１１は、Ｓ１４０４に進む。バックグラウンドで画像データを作成するには変換指示データが必要なため、Ｓ１４０４において、ＣＰＵ３１１は、画像処理サーバ１０５に対して処理対象ファイル及び変換指示データを送信する。
そして、ＣＰＵ３１１は、受信した処理後データ（プレビュー用データ又はデフォルトの印刷設定情報に基づく印刷用データ）を処理対象ファイルと関連付けてＨＤＤ３１３に保存する（１４０５）。なお、画像処理サーバ１０５との処理のやり取りは図１１で示した画像処理シーケンスである。
【００４１】
なお、ファイルストレージとしてネットワークボタン６０３が選択された後、ユーザが選択したネットワークフォルダに処理対象ファイルが追加された場合、ＣＰＵ３１１は、ネットワークから処理対象ファイルを取得し、図１３の先行処理を行ってもよい。
【００４２】
実施形態３では、処理対象ファイルの保存場所に応じて初回先行送信するデータを決定する例を示した。このように処理対象ファイルが保存されているストレージに応じて先行処理のシーケンスを切り替えることで、変換指示データが必要か否かを保存ファイルストレージ選択時に判断することができる。したがって、より効率的に先行処理を行うことができる。
【００４３】
＜実施形態４＞
実施形態１、実施形態２、実施形態３の何れにおいても、ＣＰＵ３１１は、ファイルの選択を検知するタイミング、又はバックグラウンドで、ファイルを画像処理サーバ１０５に対して先行送信する例を示した。しかしながら、ユーザは選択したファイルに対して必ず印刷ジョブの実行又はプレビュー表示を行うとは限らない。したがって、例えば、画像処理サーバ１０５に先行送信中のファイルについて、使用しない場合は送信をやめる必要がある。しかしながら、設定をやり直して同じファイルに対してジョブを開始する可能性もある。そのため、本実施形態のＣＰＵ３１１は、ユーザからの選択解除又はキャンセルを検知しても、送信を中断せず、ファイルを画像処理サーバ１０５に送信する。送信されたファイルは画像処理サーバ１０５において保持される。そして、ＣＰＵ３１１は、予め設定された条件を満たすと、画像処理サーバ１０５に対して送信したファイルの削除を要求する。前記条件の例としては、異なるファイルに対するジョブを実行した場合、ユーザがログアウトした場合、一定期間（１時間、１日等）が過ぎた場合等が挙げられるが、それ以外の条件でもよい。
【００４４】
実施形態４によると、ファイルの選択を解除又はキャンセルしたファイルに対してサーバで一定期間保持することができる。したがって、同データについて設定値を変更したいだけの場合や、頻繁に利用するデータについては、画像の送信にかかる時間を削減することができる。したがって、本実施形態を利用しない場合に比べて、より効率的に先行処理を行うことができる。
【００４５】
＜実施形態５＞
本実施形態のＣＰＵ３１１は、複数の処理対象ファイルが選択された場合、画像処理サーバ１０５に処理負荷をかけないため、以下の処理を実行する。
即ち、ＣＰＵ３１１は、画像処理サーバ１０５に保持可能なデータ容量の問い合わせを行う。そして、ＣＰＵ３１１は、前記問い合わせの結果、画像処理サーバ１０５より取得したデータ容量の情報に基づき、前記データ容量に収まる処理対象ファイルだけを先行して画像処理サーバ１０５に送信する。ＣＰＵ３１１は、先行して送信する処理対象ファイルを選択する際に、前記データ容量に収まる処理対象ファイルのうち、先に処理が完了する（プリントが完了する）処理対象ファイルを優先的に選択して、画像処理サーが１０５に送信するようにしてもよい。
【００４６】
本実施形態５によると、複数の処理対象ファイルが選択された場合であっても、画像処理サーバ１０５に処理負荷をかけずに、先行処理を行うことができる。
【００４７】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００４８】
以上、上述した各実施形態によれば、ユーザの明示的な指示による画像処理要求の前に先行して処理対象ファイルを画像処理サーバ１０５に送信することで、画像送信における時間を短縮することができる。したがって、ジョブ出力までのＦＰＯＴ（Ｆｉｒｓｔ  Ｐｒｉｎｔ  Ｏｕｔｐｕｔ  Ｔｉｍｅ）やプレビュー画像表示を早めることができる。
よって、外部装置の一例である画像処理サーバ１０５を用いて画像処理を行う場合でもできるだけユーザの待機時間を減らし、操作性を向上させることができる。
【００４９】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００５０】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００５１】
１０１  画像形成装置
１０５  画像処理サーバ
２１１  ＣＰＵ
３１１  ＣＰＵ
【図１】
2015157473.tif 000003
【図２】
2015157473.tif 000004
【図３】
2015157473.tif 000005
【図４】
2015157473.tif 000006
【図５】
2015157473.tif 000007
【図６】
2015157473.tif 000008
【図７】
2015157473.tif 000009
【図８】
2015157473.tif 000010
【図９】
2015157473.tif 000011
【図１０】
2015157473.tif 000012
【図１１】
2015157473.tif 000013
【図１２】
2015157473.tif 000014
【図１３】
2015157473.tif 000015
【図１４】
2015157473.tif 000016
【図１５】
2015157473.tif 000017
【図１６】
2015157473.tif 000018